(57)【要約】      （修正有）【課題】歩行運動や足踏みだけでより容易に身体に好影響を与える健康具を提供する。【解決手段】足裏Ｓに密着させ、足踏み又は歩行することにより足裏側に負イオンや赤外線領域の波長を付与する足裏健康具Ｔは、少なくとも足裏Ｓに密着して足踏み又は歩行する際に空気を流通させる流通孔又は起毛を有する足裏接触層Ｔ２と前記足裏接触の底部又は内部に保持された負イオン放出粉末と赤外線領域の波長を放出する粉末とからなる群から選択された機能性粉末層Ｔ１を有する。【選択図】図１
2019134750.tif 000002
【特許請求の範囲】
【請求項１】
足裏に密着させ、足踏み又は歩行することにより足裏側に負イオンや赤外線領域の波長を付与する足裏健康具であって、
少なくとも足裏に密着して足踏み又は歩行する際に空気を流通させる流通孔又は起毛を有する足裏接触層と前記足裏接触の底部又は内部に保持された負イオン放出粉末と赤外線領域の波長を放出する粉末とからなる群から選択された機能性粉末を有することを特徴とする健康具。
【請求項２】
前記機能性粉末は、ラジウム鉱石、トルマリン及び珪酸塩鉱石の混合物であることを特徴とする請求項１に記載の健康具。
【請求項３】
前記健康具がインソール、サンダル、スリッパ、靴下を構成することを特徴とする請求項１又は請求項２に記載の健康具。
【請求項４】
前記健康具がいわゆる足つぼ相当部分又反射区に前記機能性粉末を高密度で分布させたことを特徴とする請求項１から請求項３のいずれか１項に記載の健康具。
【請求項５】
前記高密度分布部分が少なくとも湧泉相当部であることを特徴とする請求項１に記載の健康具。
【発明の詳細な説明】
【技術分野】
【０００１】
本発明は、足裏健康具に関する。より詳しく述べると、足裏に密着させ、歩行運動や足踏み運動（以下、ステップ運動という）により使用者の健康状態に好結果を付与する足裏健康具に関する。
【背景技術】
【０００２】
足裏感覚の改善・身体の重心を修正し、身体に負担の無い動きを目指す物であり、運動神経・反射神経の向上、各部位の柔軟性や強化などを目的とする履物として、人体の足裏の動きの重心点を、第１指の付け根の関節部位となる第１基節骨と第１中足骨、第２指の付け根の関節部位となる第２基節骨と第２中足骨の間にあたる部位とし、この部位とトレーニング用履物の裏底面に取り付けられた半円球状体１の頂点とが、ほぼ一致するように、トレーニング用履物の裏底面に半円球状体１を取り付けたものが提案されている（特許文献1）。
【０００３】
また、サンダルの表層部に形成された多数の突起が足裏のつぼをほぼ均等に且つソフトに刺激するようにし、長時間にわたって履いても、刺激による痛みを感ずることなく、不快感を与えないようにするため特許文献２には、多数の突起を有する表層部の下面に、前記突起の高さ寸法とほぼ同じ程度かそれ以上の厚みを有する低反発性のクッション部材を配設した構成にすることによって、使用者の足裏の起伏状態によっては、クッション部材の沈み込みに部分的にバラツキが生ずるようになるが、低反発性で沈み込みのストロークが大きいため、沈み込みにバラツキがあっても、突起と足裏とは全面的にソフトな接触状態が維持されて痛みを伴わない適度な刺激が与えられるのであり、履き心地が良くてしかも長時間にわたって履いて歩行しても、痛感や不快感を与えないサンダルが提案されている。
【０００４】
このように形状に特徴を持たせて足裏から健康を考える以外に、例えば特許文献３にはスリッパに装着される低周波シートによる低周波刺激を介して、スリッパ着用者の足裏に分布された当該神経系のツボ(経穴)を刺激することで、腎臓、臓などのような臓器の機能を促進及び活性化させることから、使用者の健康を向上させるようにした低周波発生手段が装着されるスリッパを提供することが開示されている。このスリッパは、スリッパの甲当て部に装着され、外部より受信部に入力される制御信号により身体刺激のための所定低周波を発生させる低周波発生部と、スリッパの足底部に装着され、低周波発生部に電気的に連結された電源ケーブルを介して伝達される低周波信号によりスリッパ着用者の足裏面を低周波刺激する導伝性材質の低周波シートとを備える。
【先行技術文献】
【特許文献】
【０００５】
【特許文献１】特開２０１４−２２６３９９号公報
【特許文献２】特開２００５−８０８２８号公報
【特許文献２】特開２００６−６９４５号公報
【発明の概要】
【発明が解決しようとする課題】
【０００６】
このように従来技術においては、履物の形状に工夫をもたせて足裏から健康を図ろうとするものや特殊器具を設けて足裏から健康を図ろうとするものが提案されている。しかしながら、足裏からの健康は形状や特殊装置の装備だけでなくより簡単な構成で歩行運動や足踏みだけでより容易に身体に好影響を与える手段に対する要望はある。
本発明は、これらの従来技術とは別の試みで歩行運動や足踏みだけでより容易に身体に好影響を与える健康具を提供することである。
【課題を解決するための手段】
【０００７】
前記課題を解決する本発明は、以下の項目に関する。
１  足裏に密着させ、足踏み又は歩行することにより足裏側に負イオンや赤外線領域の波長を付与する足裏健康具であって、
少なくとも足裏に密着して足踏み又は歩行する際に空気を流通させる流通孔又は起毛を有する足裏接触層と前記足裏接触の底部又は内部に保持された負イオン放出粉末と赤外線領域の波長を放出する粉末とからなる群から選択された機能性粉末を有することを特徴とする健康具。
【０００８】
２  前記機能性粉末は、ラジウム鉱石、トルマリン及び珪酸塩鉱石の混合物であることを特徴とする１に記載の健康具。
【０００９】
３  前記健康具がインソール、サンダル、スリッパ、靴下を構成することを特徴とする１又は２に記載の健康具。
【００１０】
４  前記健康具がいわゆる足つぼ相当部分又反射区に前記機能性粉末を高密度で分布させたことを特徴とする１から３のいずれか１項に記載の健康具。
【００１１】
５  前記高密度分布部分が少なくとも湧泉相当部であることを特徴とする１に記載の健康具。
【発明の効果】
【００１２】
本発明によると、以下の優れた効果が発揮される。
本発明の健康具を足裏に密着させて歩行運動又は足踏み運動（以下、ステップ運動という）を行うことにより、発汗による汗や大気中の空気を由来とする水分が健康具内部に保持される。そしてこのようにして保持された水分がステップ運動により圧潰して主として負に帯電したイオンが放出され、本発明の健康具に含まれる負イオン放出性粉末の作用により負イオンの放出が触媒され相当量の負イオンが足裏から身体に入ると考えられる。
【００１３】
この負イオンの身体への取り込みにより新陳代謝を促進し、自律神経系のストレスを改善し、身体細胞を賦活化し、活性酸素種を除去し、細胞を正常化するものと考えられる。また、これと同時に機能性粉末中に含まれるラジウム鉱石の作用によりホルミシス効果が促進される。さらに、本発明においては、負イオン効果、ホルミシス効果に加えて近赤外線効果やアーシング効果が期待される。このように本発明の健康具は、足裏に密着してステップ運動することにより、「負イオンの取り込み」、「低レベル放射線によるホルミシス効果の付与」、「近赤外線効果」、「アーシング効果」を足裏を通じて身体全体に付与する器具である。
【図面の簡単な説明】
【００１４】
【図１】本発明の健康具をユーザに装着した状態を示す図面である。
【図２】（ａ）から（ｃ）は、各々図１に示す本発明の健康具を示す断面図である。
【発明を実施するための形態】
【００１５】
以下、本発明の実施の形態を添付図面に基づいて行う。なお、本明細書で使用する用語は以下の意義を有する。
機能性粉末とは、ステップ運動することにより足裏を介して身体に働きかける以下に説明する機能（負イオン（マイナスイオン）付与、ホルミシス効果、近赤外線効果、アーシング効果））の少なくとも１つを有する成分を含む粉末を意味する。
本発明で使用する用語負イオンとはいわゆるマイナスイオンを意味し、空気中に含まれる僅かな電気を帯びた物質（原子、分子、又は分子集団）のことを指し、特に水由来の負帯電物質を意味する。
【００１６】
負イオンは、身体に適用すると、下記のような効果が見込まれる。
１．血液の浄化作用
血液を浄化するとともに、血液の弱アルカリ化を進める。
２．細胞の臓活作用
細胞の新陳代謝を活発にし、筋肉の活性を高め、内蔵を健康にする。
３．抵抗力の増進作用
血液中のガンマグロブリンを増やし、からだの抵抗力・免疫力を高める。
４．自律神経の調整作用
自律神経の機能を向上させ、内分泌作用や造血作用を亢進する。このような自然界が持つこの４つの作用の相乗効果によって、鎮静・催眠・制汗・食欲増進・血圧降下・爽快感・疲労防止・疲労回復など、人の健康を積極的に補助する作用を有している。
【００１７】
ホルミシス効果とは大きな量（高線量）では有害な電離放射線が小さな量（低線量）では生物活性を刺激したり、あるいは以後の高線量照射に対しての抵抗性をもたらす適応応答を起こすという仮説に基づくものであり、老化抑制効果、がん抑制効果、生体防御機構の活性化、遺伝子損傷修復機構の活性化などが確認されている。
【００１８】
赤外線領域の波長、中でも「650nmから970nm」の帯域にある近赤外線は別名“Wellness Spectrum(健康波長)”あるいは“生命の窓”と呼ばれ(注1)生命体とその細胞に対して安全な波長帯域としてさまざまに展開され活用されていく。或る“単一光”が生体の細胞構成分子に放射されるとき、そこにおいて励起した分子は新たなエネルギーを放射する。重要なのは個々の光源の開発ではなく、放射される単一光の持つエネルギーと物質を構成する分子や細胞との相関関係の解明である。この波長の光は、新陳代謝が高まり免疫細胞が活性し、一方で近赤外線はミトコンドリアを活性化するといわれている。
【００１９】
ミトコンドリアの膜は植物の光合成をおこなうチトクロムという分子に非常によく似た構造をしており、これが光を感じるアンテナのような役割をして、アンテナ分子は特殊な近赤外光のシグナルを受けて、ミトコンドリアの生命エネルギー生産スイッチを上げる。生命エネルギーが上がると細胞は賦活し免疫能力が上がり、パワーアップした免疫細胞によって、がんを含む創傷の治癒能力が促進する。ヘモグロビンによく吸収される光とミトコンドリアを活性する光は異なった波長の近赤外線である。別の近赤外光は細胞質にあるリボゾームを活性する。つまり、近赤外線はそれぞれ特質において、多様な体内物質(細胞)の量子的世界に潜在する“眠れるエネルギー”を揺さぶり、目覚めさせ、増大させる触媒的な役割を担っていると言える。
【００２０】
アーシングとは、グラウンディングともいわれており、足の裏を大地に直接接触させることで、自然な電子を地球から取り入れることができるという考え方であり、病の元となる活性酸素を無害化させたり酸化した血液や細胞を還元するという効果が期待できる、といわれている。地球上では太陽からのエネルギー、地殻からのエネルギー、落雷、風雨などの大気かのエネルギー等の種々のエネルギーを蓄えており、素足で大地と接触することにより、体内に自由電子を取り込むとともに、体内に蓄積された活性酸素種や電磁波等を大地に放出するといわれている。本発明の健康具は、このようなアーシング効果を付与することを目指しているものである。
【００２１】
図１に示す通り、本発明の健康具Ｔは、ユーザの足裏Ｓに密着させ、ステップ運動することにより足裏を介してユーザの身体に負イオンや赤外線領域の波長等の前述の各種機能を付与する足裏健康具である。
【００２２】
そのため、本発明の健康具Ｔは、図２（ａ）〜（ｃ）に示す通りステップ運動することによって、主たる効果である負イオンを発生させて足裏側から身体に取り込ませる構成を有している。
【００２３】
図２（ａ）で示す健康具Ｔは地面側から足裏側へと基底層Ｔ０、機能性粉末層Ｔ１と足裏接触層Ｔ３の三層で構成されている。このように構成された本発明の健康具Ｔを用いてステップ運動することにより機能性粉末層Ｔ１中の負イオン放出粉末と空気中の水分や発汗による汗に基づく水分から負イオンが放出して足裏を介して身体へと取り込まれる。
【００２４】
より具体的には、本発明の健康具を足裏に密着させて歩行運動又は足踏み運動（以下、ステップ運動という）を行うことにより、発汗による汗や大気中の空気を由来とする水分が健康具内部に保持される。そしてこのようにして保持された水分がステップ運動により圧潰して主として負に帯電したイオンが放出され、本発明の健康具に含まれる負イオン放出性粉末の作用により負イオンの放出が触媒され相当量の負イオンが足裏から身体に入ると考えられる。この負イオンの身体への取り込みにより新陳代謝を促進し、自律神経系のストレスを改善し、身体細胞を賦活化し、活性酸素種を除去し、細胞を正常化するものと考えられる。また、これと同時に機能性粉末中に含まれるラジウム鉱石の作用によりホルミシス効果が促進される。さらに、本発明においては、負イオン効果、ホルミシス効果に加えて近赤外線効果やアーシング効果が期待される。
【００２５】
なお、図２（ｂ）や図２（ｃ）に示す通り、本発明の健康具は１層又は２層に構成することもできる。
【００２６】
このような機能を付与する粉末とは、麦飯石、ラジウム鉱石、トルマリン、源造石（登録商標名）、二酸化チタン等の光触媒粒子、ゼオライト粒子、シリカ、ブラックシリカ等からなる群から選択される鉱石の粉末を適宜選択してブレンドすることにより機能性粉末を構成できる。
【００２７】
本発明の機能性粉末に使用するのに好ましい粉末は源造石（登録商標名）と呼ばれる鉱石の粉末であり、二酸化ケイ素を主成分（７３％）とする花崗岩であり、酸化アルミニウム１３．４％、酸化カリウム６．０％、酸化第二鉄２．９％、酸化カルシウム１．４％、二酸化チタン０．８％、酸化マグネシウム１．５％、酸化マンガン０．４％等から構成されている。負イオンの放出の機能があることが知られている。
【００２８】
本発明の機能性粉末に使用するのに好ましい粉末はバドガースタインと呼ばれるラジウム鉱石である。
このように選択した機能性粉末の粒子径は、サブミクロンから数ミクロン範囲であり、従来周知の方法で多孔質体に添着させることにより機能性粉末層を構成することができる。
【００２９】
なお、本発明の健康具は、足裏に密着して歩行運動を行える形態であれば特に限定されず幅広く適用可能であり、インソール、サンダル、スリッパ、靴下を構成することが可能である。例えば、インソールの形態で本発明の健康具を適用すると、ユーザの履きなれた靴に挿入して外出の際にステップ運動をすることが可能となる。
【実施例】
【００３０】
以下、本発明を実施例に基づいて説明する。
酸化チタン１８ｋｇ、ゼオライト90ｋｇ、源造石９０ｋｇ及びトルマリン、バドガースタイン、接着剤各々微量を混合してナイロン製多孔質フィルタ１０００ｍ２上に添着して図１および図２（ａ）に示す本発明の健康具Ｔの機能性粉末層Ｔ１を形成した。このようにして製造した本発明の健康具を装着して、数分間ステップ運動をした際の身体中における帯電を経過時間（１０分間）ごとに３名のユーザで調査した。
その結果  １００ｍｖ前後であった電圧が５ｍｖ程度に降下した（ユーザ１）。２０ｍｖから３ｍｖ（ユーザ２）、５０ｍｖから１０ｍｖ（ユーザ３）。
このことより、本発明の健康具を用いてステップ運動を繰り返すことにより何らかの形で生体内電圧を下げる作用を有していることが判った。
【００３１】
さらに、この健康具を用いて数名のモニターに使用してもらったところ、冷え症の改善効果や疲労防止効果があることが判った。
【００３２】
以上の結果から、本発明の健康具を足裏に装着してステップ運動を繰り返すことにより、負イオン効果、ホルミシス効果、近赤外線効果およびアーシング効果を複合的に受けることができる。そのため、身体全体に好影響を及ぼすことが期待できる。
【符号の説明】
【００３３】
Ｔ  健康具
Ｔ０  基底層
Ｔ１  機能性粉末層
Ｔ３  足裏接触層
Ｓ  足裏
【図１】
2019134750.tif 000003
【図２】
2019134750.tif 000004